【手続補正書】
【提出日】平成16年3月31日(2004.3.31)
【手続補正１】
【補正対象書類名】明細書
【補正対象項目名】特許請求の範囲
【補正方法】変更
【補正の内容】
【特許請求の範囲】
【請求項１】
アレイアンテナを有する基地局と複数の端末が符号分割多元接続により無線通信するダイナミック符号割当て符号分割多元接続通信方法において、
前記基地局は１または複数のセットの拡散符号を用いて上記複数の端末と通信を行い、
端末との通信に用いる上記アレイアンテナのアレイ重みを用いて求められる空間相関と、符号相関とに基づいて、各端末との通信に用いる拡散符号を選択し、該端末に前記選択した拡散符号を通知することを特徴とするダイナミック符号割当て符号分割多元接続通信方法。
【請求項２】
前記基地局は、前記端末との通信中に該端末との通信に用いる拡散符号を変更することを判断し、該端末に拡散符号の変更を通知することに加え、さらに、その変更時刻を通知することを特徴とする請求項１記載のダイナミック符号割当て符号分割多元接続通信方法。
【請求項３】
前記基地局は、前記端末との通信中に該端末との通信に用いる拡散符号を変更することを判断し、前記拡散符号を変更するときに、
変更前の符号で拡散された送信信号と、変更しようとする符号で拡散された送信信号の両方を同時に送信して、
前記基地局が、前記端末から、該端末が変更しようとする符号で拡散された送信信号を受信した旨の通知を受け取ったときに、
前記基地局は、変更前の符号で拡散された送信信号の送信を中止し、変更しようとする符号で拡散された送信信号のみを送信するようにすることを特徴とする請求項１記載のダイナミック符号割当て符号分割多元接続通信方法。
【請求項４】
拡散符号が、ロングコードとショートコードのビット毎の積、または排他的論理和からなり、共通のロングコードに基づく拡散符号を１セットの拡散符号とし、
前記基地局で、その拡散符号に用いるショートコードが不足した場合に、前記拡散符号の変更をおこなうことを特徴とする請求項１ないし請求項３記載のいずれかのダイナミック符号割当て符号分割多元接続通信方法。
【請求項５】
基地局と複数の端末が符号分割多元接続により無線通信する無線通信システムのダイナミック符号割当て符号分割多元接続通信方法において、
前記基地局は１または複数のセットの拡散符号を用いて上記複数の端末と通信を行い、
複数の端末のチャネル間の空間相関と、通信に用いている拡散符号間の符号相関を計算して、
それらの積を取ることにより、時空間相関を求めて、
複数のチャネル間の組合せについて、時空間相関の和を取って、
その時空間相関の和が小さくなるものを新たな拡散符号の候補として、その拡散符号により通信するべく前記拡散符号の割当てをおこなうことを特徴とするダイナミック符号割当て符号分割多元接続通信方法。
【請求項６】
前記基地局で、各呼毎に、その干渉電力を測定し、その測定した干渉電力が予め定められた閾値以上になったときに、その呼に関わるチャネルの拡散符号を変更するべく前記拡散符号の変更の手順をおこなうことを特徴とする請求項１または５記載のダイナミック符号割当て符号分割多元接続通信方法。
【請求項７】
アレイアンテナを有する基地局と複数の端末が符号分割多元接続により無線通信する通信システムにおいてダイナミック符号割当て符号分割多元接続通信をおこなう基地局において、
１または複数のセットの拡散符号を用いて上記複数の端末と通信を行い、
端末との通信に用いる上記アレイアンテナのアレイ重みを用いて求められる空間相関と、符号相関とに基づいて、各端末との通信に用いる拡散符号を選択する手段と、該端末に前記選択した拡散符号を通知する手段とを有することを特徴とするダイナミック符号割当て符号分割多元接続通信をおこなう基地局。
【請求項８】
前記端末との通信中に該端末との通信に用いる拡散符号を変更することを判断する手段と、該端末に拡散符号の変更を通知する手段と、その変更時刻を通知する手段を有することを特徴とする請求項７記載のダイナミック符号割当て符号分割多元接続通信をおこなう基地局。
【請求項９】
前記端末との通信中に該端末との通信に用いる拡散符号を変更することを判断する手段と、変更前の符号で拡散された送信信号と、変更しようとする符号で拡散された送信信号の両方を同時に送信する手段とを有し、
前記端末から、該端末が変更しようとする符号で拡散された送信信号を受信した旨の通知を受け取ったときに、変更前の符号で拡散された送信信号の送信を中止し、変更しようとする符号で拡散された送信信号のみを送信することを特徴とする請求項７記載のダイナミック符号割当て符号分割多元接続通信をおこなう基地局。
【請求項１０】
拡散符号が、ロングコードとショートコードのビット毎の積、または排他的論理和からなり、共通のロングコードに基づく拡散符号を１セットの拡散符号とし、
その拡散符号に用いるショートコードが不足した場合に、前記拡散符号の変更をおこなう手段を有することを特徴とする請求項７ないし請求項９記載のいずれかのダイナミック符号割当て符号分割多元接続通信をおこなう基地局。
【請求項１１】
アレイアンテナを有する基地局と複数の端末が符号分割多元接続により無線通信する通信システムにおいてダイナミック符号割当て符号分割多元接続通信をおこなう基地局であって、
前記基地局は１または複数のセットの拡散符号を用いて上記複数の端末と通信を行い、
複数の端末のチャネル間の空間相関と、通信に用いている拡散符号間の符号相関を計算し、それらの積を取ることにより、時空間相関を求め、複数のチャネル間の組合せについて、時空間相関の和を取る手段を有し、
その時空間相関の和が小さくなるものを新たな拡散符号の候補として、その拡散符号により通信するべく前記拡散符号の割当てをおこなうことを特徴とするダイナミック符号割当て符号分割多元接続通信をおこなう基地局。
【請求項１２】
この基地局は、各呼毎に、その干渉電力を測定する手段を有し、その測定した干渉電力が予め定められた閾値以上になったときに、その呼に関わるチャネルの拡散符号を変更するべく前記拡散符号の変更の手順をおこなうことを特徴とする請求項７または１１記載のダイナミック符号割当て符号分割多元接続通信をおこなう基地局。
【請求項１３】
その通信の拡散符号が、ロングコードとショートコードのビット毎の積、または排他的論理和からなるときに、
この基地局では、平均受信信号強度から前記端末の方位を検出する手段を有し、
方位の近い端末群のロングコードが同一になるように、前記拡散符号を選択し、その端末に拡散符号を通知することを特徴とする請求項７または１１記載のダイナミック符号割当て符号分割多元接続通信をおこなう基地局。
【手続補正２】
【補正対象書類名】明細書
【補正対象項目名】００３６
【補正方法】変更
【補正の内容】
【００３６】
【課題を解決するための手段】
上記目的を達成するために、本発明のダイナミック符号割当て符号分割多元接続通信方法に係る発明の構成は、アレイアンテナを有する基地局と複数の端末が符号分割多元接続により無線通信するダイナミック符号割当て符号分割多元接続通信方法において、前記基地局は１または複数のセットの拡散符号を用いて上記複数の端末と通信を行い、端末との通信に用いる上記アレイアンテナのアレイ重みを用いて求められる空間相関と、符号相関とに基づいて、各端末との通信に用いる拡散符号を選択し、該端末に前記選択した拡散符号を通知することを特徴とするようにしたものである。


【手続補正３】
【補正対象書類名】明細書
【補正対象項目名】００３７
【補正方法】変更
【補正の内容】
【００３７】
より詳しくは、上記ダイナミック符号割当て符号分割多元接続通信方法において、前記基地局は、前記端末との通信中に該端末との通信に用いる拡散符号を変更することを判断し、該端末に拡散符号の変更を通知することに加え、さらに、その変更時刻を通知するようにしたものである。


【手続補正４】
【補正対象書類名】明細書
【補正対象項目名】００３８
【補正方法】変更
【補正の内容】
【００３８】
また詳しくは、上記ダイナミック符号割当て符号分割多元接続通信方法において、前記基地局は、前記端末との通信中に該端末との通信に用いる拡散符号を変更することを判断し、前記拡散符号を変更するときに、変更前の符号で拡散された送信信号と、変更しようとする符号で拡散された送信信号の両方を同時に送信して、前記基地局が、前記端末から、該端末が変更しようとする符号で拡散された送信信号を受信した旨の通知を受け取ったときに、前記基地局は、変更前の符号で拡散された送信信号の送信を中止し、変更しようとする符号で拡散された送信信号のみを送信するようにするようにしたものである。


【手続補正５】
【補正対象書類名】明細書
【補正対象項目名】００３９
【補正方法】変更
【補正の内容】
【００３９】
さらに詳しくは、上記ダイナミック符号割当て符号分割多元接続通信方法において、拡散符号が、ロングコードとショートコードのビット毎の積、または排他的論理和からなり、共通のロングコードに基づく拡散符号を１セットの拡散符号とし、前記基地局で、その拡散符号に用いるショートコードが不足した場合に、前記拡散符号の変更をおこなうようにしたものである。


【手続補正６】
【補正対象書類名】明細書
【補正対象項目名】００４０
【補正方法】変更
【補正の内容】
【００４０】
より詳しくは、上記ダイナミック符号割当て符号分割多元接続通信方法において、基地局と複数の端末が符号分割多元接続により無線通信する無線通信システムのダイナミック符号割当て符号分割多元接続通信方法において、
前記基地局は１または複数のセットの拡散符号を用いて上記複数の端末と通信を行い、複数の端末のチャネル間の空間相関と、通信に用いている拡散符号間の符号相関を計算して、それらの積を取ることにより、時空間相関を求めて、複数のチャネル間の組合せについて、時空間相関の和を取って、その時空間相関の和が小さくなるものを新たな拡散符号の候補として、その拡散符号により通信するべく前記拡散符号の割当てをおこなうようにしたものである。


【手続補正７】
【補正対象書類名】明細書
【補正対象項目名】００４１
【補正方法】変更
【補正の内容】
【００４１】
また詳しくは、上記ダイナミック符号割当て符号分割多元接続通信方法において、前記基地局で、各呼毎に、その干渉電力を測定し、その測定した干渉電力が予め定められた閾値以上になったときに、その呼に関わるチャネルの拡散符号を変更するべく前記拡散符号の変更の手順をおこなう


【手続補正８】
【補正対象書類名】明細書
【補正対象項目名】００４２
【補正方法】変更
【補正の内容】
【００４２】
上記目的を達成するために、本発明のダイナミック符号割当て符号分割多元接続通信をおこなう基地局に係る発明の構成は、アレイアンテナを有する基地局と複数の端末が符号分割多元接続により無線通信する通信システムにおいてダイナミック符号割当て符号分割多元接続通信をおこなう基地局において、１または複数のセットの拡散符号を用いて上記複数の端末と通信を行い、端末との通信に用いる上記アレイアンテナのアレイ重みを用いて求められる空間相関と、符号相関とに基づいて、各端末との通信に用いる拡散符号を選択する手段と、該端末に前記選択した拡散符号を通知する手段とを有することを特徴とするようにしたものである。


【手続補正９】
【補正対象書類名】明細書
【補正対象項目名】００４３
【補正方法】変更
【補正の内容】
【００４３】
また詳しくは、上記ダイナミック符号割当て符号分割多元接続通信をおこなう基地局において、前記端末との通信中に該端末との通信に用いる拡散符号を変更することを判断する手段と、該端末に拡散符号の変更を通知する手段と、その変更時刻を通知する手段を有するようにしたものである。


【手続補正１０】
【補正対象書類名】明細書
【補正対象項目名】００４４
【補正方法】変更
【補正の内容】
【００４４】
さらに詳しくは、上記ダイナミック符号割当て符号分割多元接続通信をおこなう基地局において、前記端末との通信中に該端末との通信に用いる拡散符号を変更することを判断する手段と、変更前の符号で拡散された送信信号と、変更しようとする符号で拡散された送信信号の両方を同時に送信する手段とを有し、前記端末から、該端末が変更しようとする符号で拡散された送信信号を受信した旨の通知を受け取ったときに、変更前の符号で拡散された送信信号の送信を中止し、変更しようとする符号で拡散された送信信号のみを送信するようにしたものである。


【手続補正１１】
【補正対象書類名】明細書
【補正対象項目名】００４５
【補正方法】変更
【補正の内容】
【００４５】
より詳しくは、上記ダイナミック符号割当て符号分割多元接続通信をおこなう基地局において、拡散符号が、ロングコードとショートコードのビット毎の積、または排他的論理和からなり、共通のロングコードに基づく拡散符号を１セットの拡散符号とし、その拡散符号に用いるショートコードが不足した場合に、前記拡散符号の変更をおこなう手段を有するようにしたものである。


【手続補正１２】
【補正対象書類名】明細書
【補正対象項目名】００４６
【補正方法】変更
【補正の内容】
【００４６】
また詳しくは、上記ダイナミック符号割当て符号分割多元接続通信をおこなう基地局において、アレイアンテナを有する基地局と複数の端末が符号分割多元接続により無線通信する通信システムにおいてダイナミック符号割当て符号分割多元接続通信をおこなう基地局であって、前記基地局は１または複数のセットの拡散符号を用いて上記複数の端末と通信を行い、複数の端末のチャネル間の空間相関と、通信に用いている拡散符号間の符号相関を計算し、それらの積を取ることにより、時空間相関を求め、複数のチャネル間の組合せについて、時空間相関の和を取る手段を有し、その時空間相関の和が小さくなるものを新たな拡散符号の候補として、その拡散符号により通信するべく前記拡散符号の割当てをおこなうようにしたものである。


【手続補正１３】
【補正対象書類名】明細書
【補正対象項目名】００４７
【補正方法】変更
【補正の内容】
【００４７】
さらに詳しくは、上記ダイナミック符号割当て符号分割多元接続通信をおこなう基地局において、この基地局は、各呼毎に、その干渉電力を測定する手段を有し、その測定した干渉電力が予め定められた閾値以上になったときに、その呼に関わるチャネルの拡散符号を変更するべく前記拡散符号の変更の手順をおこなうようしたものである。


【手続補正１４】
【補正対象書類名】明細書
【補正対象項目名】００４８
【補正方法】変更
【補正の内容】
【００４８】
また詳しくは、上記ダイナミック符号割当て符号分割多元接続通信をおこなう基地局において、その通信の拡散符号が、ロングコードとショートコードのビット毎の積、または排他的論理和からなるときに、この基地局では、平均受信信号強度から前記端末の方位を検出する手段を有し、方位の近い端末群のロングコードが同一になるように、前記拡散符号を選択し、その端末に拡散符号を通知するようにしたものである。